(57)【要約】【課題】部品の取り扱いや現場での作業を煩雑化することなく、任意の高さにパネル及び横格子を配設すること。【解決手段】相互に間隔を確保して立設した複数の支柱１０にパネル５１及び横格子７０を設けることによって構成した柵状構造体であって、パネル５１は、矩形状を成し、四周に框５２，５３，５４が設けられ、框５２，５３，５４を介して支柱１０に保持されており、横格子７０には、支柱１０側となる内表面７０ａに上下に沿って延在し、縦框５４に保持された複数のパネルアタッチメント８０が取り付けられている。【選択図】図３
2018155030.tif 000002
【特許請求の範囲】
【請求項１】
相互に間隔を確保して立設した複数の支柱にパネル及び横格子を設けることによって構成した柵状構造体であって、
前記パネルは、矩形状を成し、四周に框が設けられ、前記框を介して前記支柱に保持されており、
前記横格子には、前記支柱側となる内表部に上下に沿って延在し、前記框に保持された複数のパネルアタッチメントが取り付けられていることを特徴とする柵状構造体。
【請求項２】
前記パネルアタッチメントは、前記横格子の内表部に当接する第１の接合部分と、前記框に当接する第２の接合部分とを有したもので、これら第１の接合部分及び第２の接合部分を介してネジを螺合することにより前記横格子及び前記框に取り付けられていることを特徴とする請求項１に記載の柵状構造体。
【請求項３】
前記第２の接合部分は前記框の外周側となる見込み面に取り付けられていることを特徴とする請求項２に記載の柵状構造体。
【請求項４】
前記框は前記支柱の外表部から突出するように取り付けた支持ブラケットを介して前記支柱に取り付けられていることを特徴とする請求項１に記載の柵状構造体。
【請求項５】
前記パネルアタッチメントには、前記横格子が互いに間隔を確保した状態で複数取り付けられていることを特徴とする請求項１に記載の柵状構造体。
【発明の詳細な説明】
【技術分野】
【０００１】
本発明は、支柱にパネル及び横格子を設けることによって構成した柵状構造体に関するものである。
【背景技術】
【０００２】
例えば、バルコニーに適用される手摺りでは、支柱の相互間において笠木よりも下方となる部分にパネル及び横格子を配設し、支柱の間の隙間を覆い隠すようにしている。この種の手摺りでは、隣接する支柱の上端部間及び下端部間にそれぞれ横枠材を配設するとともに、横枠材の内周側となる側面及び支柱の内周側となる側面にそれぞれ収容溝を形成し、パネルの四周を収容溝に装着させるようにしている。横格子については、支柱においてバルコニーの外側となる面に当接させた状態で支柱の内部からネジを螺合することによって支柱に固定されている（例えば、特許文献１参照）。
【先行技術文献】
【特許文献】
【０００３】
【特許文献１】特開２００６−２５７８０３号公報
【発明の概要】
【発明が解決しようとする課題】
【０００４】
ところで、特許文献１に記載のものでは、パネルの上縁が笠木よりも下方となるように設けられる場合、パネルの上縁に対応する部位に収容溝を有した横格子を取り付けるようにしている。この横格子を取り付けるにあたっては、支柱の一部を切除する必要がある。このため、バルコニーを設置する現場での作業性については、必ずしも好ましいとはいえない。こうした問題は、例えば支柱に対して予め切除加工を施しておくことで解決することが可能となる。しかしながら、横格子の取り付け位置が異なる種類だけ支柱を用意しなければならず、部品点数の増加から部品の取り扱いが煩雑になる事態を招来することになる。なお、上述の問題は、支柱の上端に笠木を有したもの特有ではなく、相互に間隔を確保して立設した複数の支柱にパネル及び横格子を備えた柵状の構造体であれば、同様に生じ得る。
【０００５】
本発明は、上記実情に鑑みて、部品の取り扱いや現場での作業を煩雑化することなく、任意の高さにパネル及び横格子を配設することのできる柵状構造体を提供することを目的とする。
【課題を解決するための手段】
【０００６】
上記目的を達成するため、本発明に係る柵状構造体は、相互に間隔を確保して立設した複数の支柱にパネル及び横格子を設けることによって構成した柵状構造体であって、前記パネルは、矩形状を成し、四周に框が設けられ、前記框を介して前記支柱に保持されており、前記横格子には、前記支柱側となる内表部に上下に沿って延在し、前記框に保持された複数のパネルアタッチメントが取り付けられていることを特徴とする。
【０００７】
この発明によれば、四周に框を装着したパネルを支柱に保持させるようにしているため、支柱や横格子に対してパネルの縁部を収容するための収容溝を設ける必要がない。しかも、横格子については、パネルアタッチメントを介して框に取り付けられるため、取り付けに際して支柱や框に加工が必要になることもない。従って、支柱や框に何らの加工を要することなくパネルや横格子の取り付け位置を容易に変更することが可能となる。
【０００８】
また本発明は、上述した柵状構造体において、前記パネルアタッチメントは、前記横格子の内表部に当接する第１の接合部分と、前記框に当接する第２の接合部分とを有したもので、これら第１の接合部分及び第２の接合部分を介してネジを螺合することにより前記横格子及び前記框に取り付けられていることを特徴とする。
【０００９】
この発明によれば、パネルアタッチメントを横格子に取り付けるためのネジが外部に露出しないため、外観品質が損なわれる事態を防止できる。
【００１０】
また本発明は、上述した柵状構造体において、前記第２の接合部分は前記框の外周側となる見込み面に取り付けられていることを特徴とする。
【００１１】
この発明によれば、框に対してパネルアタッチメントを取り付けるためのネジが正面に露出しないため、外観品質が損なわれる事態を防止できる。
【００１２】
また本発明は、上述した柵状構造体において、前記框は前記支柱の外表部から突出するように取り付けた支持ブラケットを介して前記支柱に取り付けられていることを特徴とする。
【００１３】
この発明によれば、支柱に対する支持ブラケットの取り付け位置を変更することでパネル及び横格子の取り付け位置を変更することが可能となる。
【００１４】
また本発明は、上述した柵状構造体において、前記パネルアタッチメントには、前記横格子が互いに間隔を確保した状態で複数取り付けられていることを特徴とする。
【００１５】
この発明によれば、框に対するパネルアタッチメントの取り付け位置を変更することで、相互間隔を変更することなく複数の横格子の取り付け位置を変更することが可能となる。
【発明の効果】
【００１６】
本発明によれば、四周に框を装着したパネルを支柱に保持させるようにしているため、支柱や横格子に対してパネルの縁部を収容するための収容溝を設ける必要がない。しかも、横格子については、パネルアタッチメントを介して框に取り付けられるため、取り付けに際して支柱や框に加工が必要になることもない。従って、支柱や框に何らの加工を要することなくパネルや横格子の取り付け位置を容易に変更することが可能となる。これにより、互いに異なる位置にパネルや横格子を取り付ける柵状構造体についても同一の部品で対応することができ、部品の取り扱いを煩雑化することなく現場での作業性を向上することが可能となる。
【図面の簡単な説明】
【００１７】
【図１】図１は、本発明の実施の形態である柵状構造体を適用したバルコニーの斜視図である。
【図２】図２は、図１に示したバルコニーの縦断面及び一部拡大図である。
【図３】図３は、図１に示したバルコニーの要部横断面及び一部拡大図である。
【図４】図４は、図１に示したバルコニーに適用する横格子及びパネルアタッチメントの斜視図である。
【図５】図５は、図１に示したバルコニーにおいて１枚のパネルユニット及び横格子の取り付け手順を示す概念図である。
【図６】図６は、図１に示したバルコニーにおいて２枚のパネルユニット及び横格子の取り付け手順を示す概念図である。
【図７】図７は、図１に示したバルコニーにおいて３枚のパネルユニット及び横格子の取り付け手順を示す概念図である。
【図８】図８は、図１に示したバルコニーにおいて４枚のパネルユニット及び横格子の取り付け手順を示す概念図である。
【図９】図９は、図１に示したバルコニーの出隅部分においてパネルユニット及び横格子の取り付け手順を示す概念図である。
【図１０】図１０は、図１に示したバルコニーの出隅部分においてパネルユニット及び横格子の取り付け手順の別の例を示す概念図である。
【発明を実施するための形態】
【００１８】
以下、添付図面を参照しながら本発明に係る柵状構造体の好適な実施の形態について詳細に説明する。
図１〜図３は、本発明の実施の形態である柵状構造体を適用したバルコニーを示したものである。ここで例示するバルコニー１は、建築物の外壁Ｗから突出するように設けられたデッキＤの周囲に手摺りとして柵状構造体を適用したものである。デッキＤは、横長の矩形状を成し、一方の長辺を建築物の外壁Ｗに接した状態で設けられたものである。デッキＤの短辺及びもう一方の長辺に相当する３つの辺には、それぞれの縁部に設けられた立上り部分ｄに支柱１０及び笠木２０が並設してある。なお、以下においては便宜上、バルコニー１を境界として外周側を室外側、内周側をデッキ側として説明することとする。
【００１９】
支柱１０は、アルミニウム合金等の金属によって成形した押し出し形材であり、断面が矩形の筒状に構成してある。これらの支柱１０は、互いの間にほぼ等しい間隔を確保した状態で、立上り部分ｄの上面から鉛直方向に沿って上方に突出している。本実施の形態では、短辺を構成する一方の側面１１が室外側に位置し、かつこの側面１１から立上り部分ｄの室外に臨む外表面ｄ１までの距離が互いに同一となるようにそれぞれの支柱１０が配設してある。図からも明らかなように、デッキＤの出隅となる部分においては、２辺の交点となる部分を避けて支柱１０を配設するようにしている。
【００２０】
笠木２０は、アルミニウム合金等の金属によって成形した押し出し形材である。この笠木２０は、立上り部分ｄの上端部を覆うカバー材として構成したもので、立上り部分ｄの全長にわたって配設してある。図には明示していないが、笠木２０において支柱１０に対応する部分には、それぞれ支柱１０を貫通させるための貫通孔が設けてある。
【００２１】
上述した支柱１０には、手摺り笠木３０及び支持ブラケット４０が設けてある。手摺り笠木３０は、アルミニウム合金等の金属によって成形した押し出し形材であり、複数の支柱１０の上端部間に架け渡すように設けてある。支持ブラケット４０は、後述するパネルユニット５０を保持するためのもので、支柱１０の互いに対向する側面１１に取り付けてある。本実施の形態では、取付基板部４１、当接板部４２及び載置板部４３をステンレス等の金属板によって一体に成形した支持ブラケット４０を適用している。具体的に説明すると、取付基板部４１は、ブラケットネジ４４を介して支柱１０の側面１１に取り付けられる平板状部分である。取付基板部４１の先端縁は、支柱１０の室外に臨む側面１１から突出している。当接板部４２は、取付基板部４１の先端縁からほぼ直角となるように屈曲して延在する平板状部分である。載置板部４３は、当接板部４２の下縁から室外に向けてほぼ水平となるように延在した平板状部分である。この載置板部４３には、取付ネジ挿通孔４３ａ及び係合爪片４３ｂが設けてある。取付ネジ挿通孔４３ａは、上下方向に沿って貫通した円形の開口であり、後述する取付ネジ４５の軸部４５ａよりも太径、かつ頭部４５ｂよりも細径に形成してある。係合爪片４３ｂは、載置板部４３から上方に突出した平板状部分であり、当接板部４２に対してほぼ平行となるように延在している。
【００２２】
また、このバルコニー１には、笠木２０と手摺り笠木３０との間に複数のパネルユニット５０が配設してある。それぞれのパネルユニット５０は、矩形状を成すパネル５１の四周に上框５２、下框５３及び左右の縦框５４を装着することによって構成したもので、手摺り笠木３０の延在方向に沿って並設してある。パネル５１としては、例えば接着シートを介して２枚のガラス板を接合した合わせガラスや、ポリカーボネート等の樹脂製の平板を適用することができる。上框５２、下框５３及び縦框５４は、アルミニウム合金等の金属によって成形した押し出し形材であり、左右の縦框５４の上端部間に上框５２が配設され、かつ左右の縦框５４の下端部間に下框５３が配設されている。
【００２３】
縦框５４は、矩形の中空状を成す縦框基部５４ａと、縦框基部５４ａの室外側となる部分に設けた収容ヒレ部５４ｂとを一体に成形したものである。収容ヒレ部５４ｂは、縦框基部５４ａの外周側に位置する縁部から室外側に向けて延在した後、内周側に向けて屈曲した薄板状部分であり、縦框基部５４ａとの間に内周側に開口した収容溝５４ｃを構成している。本実施の形態では、支柱１０の上方に設けた支持ブラケット４０の上端から支柱１０の下方に設けた支持ブラケット４０の下端までの距離に対応した長手寸法を有する縦框５４を適用している。
【００２４】
上框５２及び下框５３は、見込み方向に沿った寸法が縦框５４とほぼ同一である。上框５２及び下框５３の見付け方向に沿った寸法は、支持ブラケット４０において載置板部４３の上面から当接板部４２の上端までの距離とほぼ等しく設定してある。上框５２の内周側見込み面５２ａから下框５３の外周側見込み面５３ａまでの距離は、支柱１０の上方に設けた支持ブラケット４０の載置板部４３と支柱１０の下方に設けた支持ブラケット４０の載置板部４３との相互間距離とほぼ等しく設定してある。
【００２５】
ここで、見込み方向とは、図中の矢印Ａで示すように、パネルユニット５０の奥行きに沿った方向である。見込み方向に沿った面については、見込み面と称する場合がある。また、見付け方向とは、上框５２や下框５３のように水平に沿って配置される部材の場合、見込み方向に直交した上下に沿う方向であり、縦框５４のように上下に沿って配置される部材の場合、見込み方向に直交した水平に沿う方向である。見付け方向に沿った面については、見付け面と称する場合がある。
【００２６】
上框５２には、内周側見込み面５２ａに連結用凹部５２ｂ及び収容溝５２ｃが設けてある。これに対して下框５３には、内周側見込み面５３ｂに収容溝５３ｃが設けてあり、外周側見込み面５３ａに係合用凹部５３ｄが設けてある。上框５２の収容溝５２ｃ及び下框５３の収容溝５３ｃは、それぞれの内周側見込み面５２ａ，５３ｂにおいて室外側の縁部に開口する凹所であり、縦框５４の収容溝５４ｃと同じ見込み位置に形成してある。
【００２７】
上框５２の連結用凹部５２ｂは、内周側見込み面５２ａにおいてデッキ側の縁部に開口する凹所である。連結用凹部５２ｂの開口両縁部には、連結用凹部５２ｂの開口を狭めるように、互いに対向する部分から支持ヒレ５２ｄが突設してある。この連結用凹部５２ｂは、上框５２のデッキ側に臨む見付け面５２ｅを支持ブラケット４０の当接板部４２に当接させた場合にその開口が、載置板部４３に設けた取付ネジ挿通孔４３ａ及び係合爪片４３ｂと対向するように構成してある。また連結用凹部５２ｂの内部には、直方体状を成す板ナット６０が配設してある。板ナット６０は、ネジ孔６０ａが上下に延在する状態で連結用凹部５２ｂの内部に収容したもので、上框５２に対して長手方向にはスライド可能、かつ上下方向には移動が規制されている。
【００２８】
下框５３の係合用凹部５３ｄは、外周側見込み面５３ａにおいてデッキ側の縁部に開口する凹所である。この係合用凹部５３ｄは、下框５３のデッキ側見付け面５３ｅを支持ブラケット４０の当接板部４２に当接させた場合にその開口が、載置板部４３に設けた係合爪片４３ｂに対向するように構成してある。
【００２９】
図からも明らかなように、上框５２の連結用凹部５２ｂ及び下框５３の係合用凹部５３ｄには、それぞれの内部においてデッキ側見付け面５２ｅ，５３ｅから互いに等距離となる位置にビスホール５２ｆ，５３ｆが設けてある。ビスホール５２ｆ，５３ｆは、上框５２及び下框５３の長手に沿って延在する筒状部分であり、見込み方向においてデッキ側に偏った位置に形成してある。
【００３０】
上述したパネルユニット５０は、上框５２の収容溝５２ｃ、下框５３の収容溝５３ｃ及び縦框５４の収容溝５４ｃにそれぞれパネル５１の対応する縁部を収容させ、この状態から縦框５４を介して上框５２のビスホール５２ｆ及び下框５３のビスホール５３ｆにそれぞれ組立ネジ（図示せず）を螺合することによって構成されたものである。パネル５１の縁部と上框５２、下框５３及び左右の縦框５４との間は、予め収容溝５４ｃに塗布した接着材によって接着するようにしている。
【００３１】
それぞれのパネルユニット５０は、隣設する支柱１０の間においてそれぞれの支持ブラケット４０の載置板部４３に上框５２及び下框５３を載置させれば、個々の係合爪片４３ｂが連結用凹部５２ｂ及び係合用凹部５３ｄに配置され、支持ブラケット４０に対して仮止めされた状態となる。この仮止め状態においては、支持ブラケット４０に対してパネルユニット５０を水平方向に沿って移動させ、位置調整を行うことが可能である。
【００３２】
パネルユニット５０を設置すべき位置に配置した後においては、上框５２の載置板部４３に設けた取付ネジ挿通孔４３ａを介して板ナット６０に取付ネジ４５を螺合すれば、支持ブラケット４０に対するパネルユニット５０の移動を規制することができる。その後、当接板部４２を介して上框５２及び下框５３にそれぞれ支持ネジ５５を螺合することにより、パネルユニット５０が支持ブラケット４０を介して支柱１０に保持される。本実施の形態では、通風や施工誤差吸収のため、隣設するパネルユニット５０の縦框５４相互間に隙間を確保した状態でパネルユニット５０を取り付けるようにしている。
【００３３】
さらに、このバルコニー１には、パネルユニット５０の室外側となる部分に横格子７０が設けてある。横格子７０は、デッキＤの各辺ごとに一連となるものである。本実施の形態では、パネルユニット５０の上框５２と下框５３との間に上下２本の横格子７０を設けるようにしている。横格子７０は、アルミニウム合金等の金属によって成形した押し出し形材であり、断面がほぼ正方形の筒状に構成してある。これら上下の横格子７０は、複数のパネルアタッチメント８０によって相互に連結してある。
【００３４】
パネルアタッチメント８０は、アルミニウム合金等の金属によって成形した押し出し形材であり、図３及び図４に示すように、第１の接合部分８１及び第２の接合部分８２を有している。第１の接合部分８１は、平板状を成す接合基板部８１ａと、接合基板部８１ａの一方の縁部からほぼ直角となるように屈曲した屈曲当接部８１ｂとを有したものである。第２の接合部分８２は、第１の接合部分８１において接合基板部８１ａの他方の縁部から屈曲当接部８１ｂと同じ方向に向けてほぼ直角に延在した部分である。第２の接合部分８２の延在寸法は、屈曲当接部８１ｂの延在端縁を縦框５４の室外に臨む見付け面５４ｅに当接させた場合に、縦框５４の外周側となる見込み面５４ｄを覆い隠すことができるように設定してある。第２の接合部分８２において屈曲当接部８１ｂに対向する内表面には、位置規制リブ８２ａ及び２つの当接リブ８２ｂが設けてある。位置規制リブ８２ａは、第１の接合部分８１の接合基板部８１ａに近接した部分から突出したもので、屈曲当接部８１ｂを縦框５４の見付け面５４ｅに当接させた場合に、同じ見付け面５４ｅに当接するものである。当接リブ８２ｂは、第２の接合部分８２において縦框５４の見込み面５４ｄに対向する部分から突出したもので、個々の突出縁部を介して縦框５４の見込み面５４ｄに当接することが可能である。
【００３５】
上記の構成を有するパネルアタッチメント８０は、接合基板部８１ａの外表面８１ｃを横格子７０のデッキ側に臨む内表面（内表部）７０ａに当接させた状態で、接合基板部８１ａの内表面８１ｄからネジ８３を螺合することにより、横格子７０に直交する状態で横格子７０に取り付けてある。また、このパネルアタッチメント８０は、屈曲当接部８１ｂ及び位置規制リブ８２ａをそれぞれ縦框５４の見付け面５４ｅに当接させるとともに、２つの当接リブ８２ｂを縦框５４の見込み面５４ｄに当接させた状態で第２の接合部分８２からネジ８４を螺合することにより、パネルユニット５０の縦框５４に沿う状態で縦框５４に取り付けてある。
【００３６】
すなわち、このバルコニー１においては、パネルアタッチメント８０を介してパネルユニット５０の縦框５４に横格子７０が取り付けられた状態となっている。このため、横格子７０の取り付けに際して支柱１０や縦框５４に加工が必要になることがなく、縦框５４に対するパネルアタッチメント８０の位置を変更することで横格子７０の取り付け位置を任意に変更することが可能となる。また、パネルアタッチメント８０に対する横格子７０の取り付け位置を変更することで、横格子７０の相互間距離や横格子７０の数についても容易に変更することができる。しかも、パネル５１については、四周に収容溝５４ｃを有した框５２，５３，５４が設けられてユニット化されているため、パネル５１の取り付けに際しても支柱１０や横格子７０に収容溝を設ける等の加工が必要になることがない。このため、パネル５１の取り付け位置については、支柱１０に取り付けた支持ブラケット４０の位置を適宜調整することで任意に変更することが可能である。
【００３７】
さらに、上述のバルコニー１によれば、縦框５４の外周側となる見込み面５４ｄにネジ８４を螺合することによってパネルアタッチメント８０を縦框５４に取り付けるようにしているため、縦框５４に対してパネルアタッチメント８０を取り付けるためのネジ８４が正面に露出せず、外観品質が損なわれる事態を防止できる。但し、縦框５４の外周側となる見込み面５４ｄにネジ８４を螺合する場合には、バルコニー１の組み立て手順について工夫する必要がある。
【００３８】
すなわち、図５の（ａ）及び（ｂ）に順次示すように、１つのパネルユニット５０に横格子７０を支持させる場合には、両側の縦框５４に対して外周側の見込み面５４ｄからネジ８４を螺合してパネルアタッチメント８０を取り付けることが可能である。しかしながら、図６の（ａ）、（ｂ）、（ｃ）に順次示すように、２枚のパネルユニット５０，５０′が並設された状況にあっては、互いに近接する縦框５４にネジ８４を螺合する工具を配置することができない。このため、隣接する一方のパネルユニット５０′に対しては、一方の縦框５４に対してのみパネルアタッチメント８０を取り付けるようにしている。つまり、後から取り付けるパネルユニット５０′に対しては、先に取り付けたパネルユニット５０から離隔した縦框５４にのみパネルアタッチメント８０が取り付けてある。こうした取り付け方法にあっても、横格子７０の両端部２カ所及び中間部分の１カ所がパネルユニット５０に取り付けられた状態となり、その取り付け強度が大きく損なわれるおそれはない。
【００３９】
同様に、図７の（ａ）、（ｂ）、（ｃ）に順次示すように、３枚のパネルユニット５０，５０，５０′が並設される状況下では、両側のパネルユニット５０，５０に対して個々の左右の縦框５４にそれぞれパネルアタッチメント８０を取り付ける一方、中央のパネルユニット５０′についてはいずれの縦框５４にもパネルアタッチメント８０を取り付けていない。この取り付け方法においては、横格子７０の両端部２カ所及び中間部分の２カ所がパネルユニット５０に取り付けられた状態となる。
【００４０】
また、図８の（ａ）、（ｂ）、（ｃ）、（ｄ）に順次示すように、４枚のパネルユニット５０，５０，５０′，５０″が並設される状況下では、パネルユニット５０が３枚の場合と同様、両側のパネルユニット５０に対して個々の左右の縦框５４にそれぞれパネルアタッチメント８０を取り付ける一方、中間部分に配置される２枚のパネルユニット５０′，５０″については、いずれか一方のパネルユニット５０′に対して一方の縦框５４にのみパネルアタッチメント８０を取り付け、もう一方のパネルユニット５０″についてはいずれの縦框５４にもパネルアタッチメント８０を取り付けていない。この取り付け方法においては、横格子７０の両端部２カ所及び中間部分の３カ所がパネルユニット５０に取り付けられた状態となる。
【００４１】
以下、並設されるパネルユニット５０の数が増えた場合にも、同様の取り付け手順を適用することにより、横格子７０の取り付け強度を十分に確保することが可能となる。
【００４２】
一方、デッキＤの出隅部分については、適用するパネル５１の強度に応じて、図９及び図１０に示すように、２つの取り付け方法を適宜使い分ければ良い。
【００４３】
例えば、ポリカーボネート等の樹脂製の平板をパネル５１として適用したパネルユニット５０の場合には、図９の（ａ）、（ｂ）、（ｃ）、（ｄ）に順次示すように、出隅部分に配置する２枚のパネルユニット５０″，５０″を予め連結金具９０によって互いに直角となるように連結し、この連結した２つのパネルユニット５０″，５０″を２つの支柱１０の間に配設するようにしている。連結した２枚のパネルユニット５０″，５０″に対しては、いずれの縦框５４にもパネルアタッチメント８０を取り付けていない。従って、この取り付け方法によれば、支柱１０から離隔した２枚のパネルユニット５０″，５０″が横格子７０の取り付け荷重を受けることがない。
【００４４】
これに対して樹脂よりも強度の大きい合わせガラスをパネル５１として適用したパネルユニット５０の場合には、図１０の（ａ）、（ｂ）、（ｃ）に順次示すように、支柱１０から出隅部分に突出するようにパネルユニット５０を配設し、それぞれの突出縁部に位置する縦框５４にパネルアタッチメント８０を取り付けるようにしている。従って、この取り付け方法によれば、支柱１０から離隔した２枚のパネルユニット５０の突出縁部において横格子７０の取り付け荷重を受けることができる。
【００４５】
なお、図には明示していないが、デッキＤに入隅部分がある場合にも、出隅部分の場合と同様の取り付け方法を適用することが可能である。
【００４６】
以上説明したように、上述のバルコニー１によれば、四周に框５２，５３，５４を装着したパネル５１を支柱１０に保持させるようにしているため、支柱１０や横格子７０に対してパネル５１の縁部を収容するための収容溝を設ける必要がない。しかも、横格子７０については、パネルアタッチメント８０を介して縦框５４に取り付けるようにしているため、取り付けに際して支柱１０や縦框５４に加工が必要となることもない。従って、支柱１０や縦框５４に何らの加工を要することなくパネル５１や横格子７０の取り付け位置を容易に変更することが可能となる。つまり、支柱１０に対する支持ブラケット４０の取り付け位置を上下に変更することで、支柱１０に対するパネルユニット５０の取り付け高さを変更することが可能となる。また、縦框５４に対するパネルアタッチメント８０の取り付け位置を上下に変更することで、横格子７０の相互間隔を変更することなく支柱１０に対する横格子７０の取り付け高さを変更することができる。これにより、互いに異なる位置にパネル５１や横格子７０を取り付けるバルコニー１についても同一の部品で対応することが可能となり、部品の取り扱いを煩雑化することなく現場での作業性を向上することが可能となる。
【００４７】
なお、上述した実施の形態では、デッキＤの周囲に手摺りとして柵状構造体を適用したバルコニー１を例示しているが、必ずしもバルコニー１の手摺りとして適用されるものに限らない。この場合、必ずしも手摺り笠木３０を有している必要もなく、相互に間隔を確保して立設した複数の支柱１０にパネル５１及び横格子７０を設けることによって構成した柵状構造体であれば良い。
【００４８】
また、上述した実施の形態では、パネルアタッチメント８０の第２の接合部分８２を縦框５４の外周側となる見込み面５４ｄに取り付けるようにしているため、パネルアタッチメント８０を横格子７０に取り付けるためのネジ８４が外部に露出せず、外観品質が損なわれる事態を防止することができる。しかしながら、本発明はこれに限定されず、例えば第１の接合部分８１を介して縦框５４にネジ８４を螺合するようにしても良い。
【符号の説明】
【００４９】
１  バルコニー、１０  支柱、４０  支持ブラケット、５０，５０′，５０″  パネルユニット、５１  パネル、５２，５３，５４  框、７０  横格子、７０ａ  内表面、８０  パネルアタッチメント、８１  第１の接合部分、８２  第２の接合部分、８４  ネジ
【図１】
2018155030.tif 000003
【図２】
2018155030.tif 000004
【図３】
2018155030.tif 000005
【図４】
2018155030.tif 000006
【図５】
2018155030.tif 000007
【図６】
2018155030.tif 000008
【図７】
2018155030.tif 000009
【図８】
2018155030.tif 000010
【図９】
2018155030.tif 000011
【図１０】
2018155030.tif 000012